(57)【要約】【課題】不意に外力が加わった場合であってもマウントの固定が外れづらいレンズマウントを備えた撮像装置を提供する。【解決手段】この撮像装置のレンズマウントは、撮像装置２００に設けられるレンズマウントであって、固定部２１０と、固定部２１０に固定される固定マウント部２２０と、撮像装置２００に設けられた係合部３４２と係合するアーム部１３と、バヨネット爪部１１２〜１１４と係合する爪部２４２〜２４４とを有し、レンズ鏡筒１００の光軸を中心に回動可能な可動マウント部２４０と、を備え、アーム部１３が第１の位置にある場合、レンズ鏡筒１００が着脱可能であり、アーム部１３が第２の位置にある場合、バヨネット爪部１１２〜１１４と爪部２４２〜２４４とが係合し、アーム部１３と係合部３４２が係合することによりレンズ鏡筒１００が撮像装置２００に固定される。【選択図】図１１
2015114418.tif 000002
【特許請求の範囲】
【請求項１】
バヨネット爪部を有するレンズ鏡筒を撮像装置に対して着脱するために前記撮像装置に設けられるレンズマウントであって、
固定部と、
前記固定部に固定され、前記レンズ鏡筒のマウント部と当接するマウント面を有する固定マウント部と、
前記撮像装置に設けられた係合部と係合するアーム部と、前記バヨネット爪部と係合する爪部とを有し、前記レンズ鏡筒の光軸を中心に回動可能な可動マウント部と、
を備え、
前記可動マウント部が回動され、前記アーム部が第１の位置にある場合、前記レンズ鏡筒が着脱可能であり、前記アーム部が第２の位置にある場合、前記バヨネット爪部と前記爪部とが係合し、前記アーム部と前記係合部が係合することにより前記レンズ鏡筒が前記撮像装置に固定される
ことを特徴とするレンズマウント。
【請求項２】
前記アーム部は、前記係合部に係合する係合構造と、前記アーム部を回動させて前記係合構造を前記係合部に係合させるための回転機構と、を有する
ことを特徴とする請求項１に記載のレンズマウント。
【請求項３】
前記回転機構は、所定の力を加えて回動するように板ばねを備える
ことを特徴とする請求項２に記載のレンズマウント。
【請求項４】
前記所定の力は、前記可動マウント部の回動動作に必要な力に対して大きい
ことを特徴とする請求項３に記載のレンズマウント。
【請求項５】
前記固定マウント部は、第１のねじ部を有し、前記可動マウント部は、前記第１のねじ部と螺合する第２のねじ部を有し、
前記第１のねじ部と前記第２のねじ部とが螺合されることにより前記可動マウント部が回動する
ことを特徴とする請求項１に記載のレンズマウント。
【請求項６】
前記第１のねじ部は、前記固定マウントに備えられた開口部の内壁に配される雌ねじであり、前記第２のねじ部は、前記回動マウントの外周に配される雄ねじである
ことを特徴とする請求項５に記載のレンズマウント。
【請求項７】
請求項１〜６のいずれか１項に記載のレンズマウントを備える撮像装置。
【発明の詳細な説明】
【技術分野】
【０００１】
本発明は、撮像装置に関し、特に、レンズ交換が可能な撮像装置のレンズマウント構造に関するものである。
【背景技術】
【０００２】
従来、状況に応じて、画角の広い／狭い、被写界深度の深い／浅い、マクロなどの撮影を行うことができるように、レンズを交換して撮影を行う、撮像素子を内蔵した撮像装置が提案されている。この撮像装置本体に対してレンズの着脱が可能なレンズマウントの方式として、ねじ式レンズマウントやバヨネット式レンズマウント等が挙げられる。
【０００３】
ねじ式レンズマウントとは、撮像素子までの距離が調整された撮像装置側のマウント面に、爪形状と、その一部に設けられた交換レンズ側のマウント面を接触させる。そして、撮像装置本体に設けたアーム部を回転させて、交換レンズのこの爪形状を撮像装置側の別部品でマウント面に押しつけることにより、交換レンズを固定する方式である。
【０００４】
一方、バヨネット式レンズマウントとは、撮像素子までの距離が調整された爪形状を持つマウント面に、爪形状を先端に持つ交換レンズのマウント部のマウント面を接触させ、交換レンズを回転させる。そして、お互いの爪形状を嵌合させた際に、撮像装置の爪形状が内蔵する交換レンズの爪形状を、撮像装置内部の撮像素子側に付勢するバネ部材によって、交換レンズを撮像素子側に付勢し、交換レンズを保持する方式である。
【０００５】
特許文献１では、ねじ式レンズマウントにおいて、交換レンズのマウント面と撮像装置側のマウント面、交換レンズの爪形状と撮像装置側の爪形状、とそれぞれ接触させて、交換レンズを固定する方式が開示されている。図１２に示すように、撮像装置本体は、マウントの径方向に昇降自在に支持されたストッパー部材６０を備え、ストッパー部材６０の軸部に形成されたネジ孔１６に螺合連結される。レンズをレンズ鏡胴受け座１４にねじ部１５を介してマウントに接続後、ネジ孔１６に沿ってストッパー部材６０を降下させる。すると、爪７４がレンズ鏡胴受け座１４の端面とネジ孔１６の内側の端面との間に挟み込まれ、レンズ部に設けられた接触面７６にストッパー部材の端面が接触する。これにより、不意に外力が加わった場合でも、ストッパー部材６０の摩擦力により、マウント固定が外れてしまうのを防ぐことができる。
【先行技術文献】
【特許文献】
【０００６】
【特許文献１】特許第０３７３５７９０号公報
【発明の概要】
【発明が解決しようとする課題】
【０００７】
しかしながら、従来のねじ式レンズマウントでは、作業者が操作しやすいように、アーム部を撮像装置本体から外側に向かって突出して存在しており、アーム部が障害物と接触し、または誤動作によって固定が緩むことがある。このため、従来のねじ式レンズマウントでは、アーム部による固定が緩くなり交換レンズが容易に脱落する恐れがある。
【０００８】
また、特許文献１のようにネジ留めにて固定する場合、レンズ部に設けられたレンズ鏡胴受け座１４を合わせる調整が必要となりレンズの装着の工数が増える。さらに、ネジ留めに対応したレンズ以外の交換レンズを使用した場合、本来の機能を発揮しない、若しくはレンズを破損する恐れがある。
【０００９】
そこで本発明は、上記の課題に鑑みてなされたものであり、不意に外力が加わった場合であってもマウントの固定が外れづらい撮像装置を提供することを目的とする。
【課題を解決するための手段】
【００１０】
上記課題を解決するために、本発明のレンズマウントは、バヨネット爪部を有するレンズ鏡筒を撮像装置に対して着脱するために前記撮像装置に設けられるレンズマウントであって、固定部と、前記固定部に固定され、前記レンズ鏡筒のマウント部と当接するマウント面を有する固定マウント部と、前記撮像装置に設けられた係合部と係合するアーム部と、前記バヨネット爪部と係合する爪部とを有し、前記レンズ鏡筒の光軸を中心に回動可能な可動マウント部と、を備え、前記可動マウント部が回動され、前記アーム部が第１の位置にある場合、前記レンズ鏡筒が着脱可能であり、前記アーム部が第２の位置にある場合、前記バヨネット爪部と前記爪部とが係合し、前記アーム部と前記係合部が係合することにより前記レンズ鏡筒が前記撮像装置に固定されることを特徴とする。
【発明の効果】
【００１１】
本発明によれば、不意に外力が加わった場合にマウントの固定が外れづらくなりマウント固定の信頼性が高まる撮像装置を提供することができる。
【図面の簡単な説明】
【００１２】
【図１】撮像装置に交換レンズを装着した状態を示す斜視図である。
【図２】交換レンズを後方から見た斜視図（Ａ）と、交換レンズのバヨネット爪部をレンズ前方から見た斜視図（Ｂ）である。
【図３】レンズマウントの要部を示した前方分解斜視図（Ａ）と、レンズマウントの要部を示した後方分解斜視図（Ｂ）と、レンズマウントの可動マウントを示した斜視図（Ｃ）である。
【図４】レンズマウントの要素の動作を順次示した正面図である。
【図５】図４に示す断面Ａ−Ａ、Ｂ−Ｂ、Ｃ−Ｃの断面図である。
【図６】図４に示すＤ、Ｅ、Ｆの詳細を示す図である。
【図７】レンズマウントの全体を示す分解斜視図である。
【図８】操作部の分解斜視図である。
【図９】交換レンズを着脱する動作を示す図である。
【図１０】レンズマウントの全体の動作を順次示す正面図である。
【図１１】指係り部と、本体の係合部とが係合した状態を示す側面図である。
【図１２】従来のレンズマウント構造を示す図である。
【発明を実施するための形態】
【００１３】
以下、本発明を実施するための形態について図面などを参照して説明する。
【００１４】
図１は、本実施形態に係るレンズマウントを具備した撮像装置２００に交換レンズ（レンズ鏡筒）１００を装着した状態を示す斜視図である。図１に示すように、本実施形態に係るレンズマウントを具備した撮像装置２００は、交換レンズ１００を装着した際に、操作部（アーム部）１３の係合構造と係合部３４２とが係合することが可能なように構成される。
【００１５】
図２（Ａ）は、交換レンズ１００単体の斜視図であり、図２（Ｂ）は、交換レンズ１００のバヨネット爪部１１２〜１１４の斜視図である。図３（Ａ）は、本実施形態に係るレンズマウントの要部を示す、撮像装置正面側から見た分解斜視図である。図３（Ｂ）は、本実施形態に係るレンズマウントの要部を示した、撮像装置背面側から見た分解斜視図である。また、図３（Ｃ）は、本実施形態に係るレンズマウントの、可動マウント部２４０のみを取り出した斜視図である。なお、図３（Ａ）および（Ｂ）において、交換レンズ１００は、簡略化のためにマウント部１１０のみを示す。
【００１６】
図２において、本実施形態に係る交換レンズ１００は、全体として長手方向に向かって径が変化する円柱上の鏡筒と鏡筒に収容された光学系を有する。図２（Ａ）では、光学系の光軸を一点鎖線により示す。また、本実施形態に係る交換レンズ１００は、固定鏡筒１０１と、フォーカスリング１０２と、スライドスイッチ１０３と、を有する。
【００１７】
固定鏡筒１０１は、内部に光学系が配置されており、回転しない。交換レンズ１００の焦点距離を変更するために、フォーカスリング１０２を回転する。スライドスイッチ１０３がスライドさせられることによって、交換レンズ１００のフォーカス機能を自動と手動の間で切り替えることができる。
【００１８】
なお、本実施形態では、交換レンズ１００にスライドスイッチ１０３が１つのみ設けられているが、この構成に限定することなく、例えば、自動と手動の切り替え以外の機能を有する複数のスライドスイッチが設けられる構成であってもよい。また、交換レンズ１００の周面の後端付近には、差し込み指標１０４が設けられる。差し込み指標１０４は、交換レンズ１００が撮像装置２００に装着される場合、撮像装置２００側に設けられた不図示の指標と容易に位置合わせできるように設けられている。
【００１９】
交換レンズ１００において、撮像装置２００側の端面にはマウント面１１１、バヨネット爪部１１２〜１１４、通信接点１０５が配置される。通信接点１０５は、交換レンズ１００のマウント面１１１から撮像装置２００側に突出し、撮像装置２００に設けられた円弧状の電気通信接点部３８０の各接点に合致するように複数配置される。マウント面１１１は、交換レンズ１００の光学系の光軸と直交して、光軸を中心とする環状面である。マウント面１１１を、撮像装置２００のマウント面２２１と当接させることで、交換レンズ１００の光学系が、撮像装置２００に正確に位置決めされる。
【００２０】
バヨネット爪部１１２〜１１４は、交換レンズ１００が最も小径になった略後端に複数配置される。バヨネット爪部１１２〜１１４は、それぞれ円弧状の形状を成し、固定鏡筒１０１に固定される。交換レンズ１００のバヨネット爪部１１２〜１１４の裏側には、バヨネット爪接触面１１２ａ〜１１４ａが設けられている。バヨネット爪接触面１１２ａ〜１１４ａは、交換レンズ１００の固定時に撮像装置２００の可動マウント部２４０の接触面２４２ａ〜２４４ａとそれぞれ接触するための接触面として配設されている。
【００２１】
固定部２１０は、例えば、金属ダイキャスト部材であり、固定マウント部２２０を固定するための締結部２１１ａ〜ｄを有する。固定マウント部２２０は、マウント面２２１と、開口部２２２と、雌ねじ部２２３と、穴部２２４ａ〜ｄと、第１の当て面２３１と、第２の当て面２３２と、を備える。
【００２２】
マウント面２２１は、交換レンズ１００のマウント面１１１と当接する。開口部２２２は、交換レンズ１００のバヨネット爪部１１２〜１１４が挿通する。雌ねじ部２２３は、光軸を中心に開口部２２２の内壁に配設される。穴部２２４ａ〜ｄを挿通したビスは、締結部２１１ａ〜ｄに締結され、固定マウント部２２０は、固定部２１０に固定される。
【００２３】
可動マウント部２４０は、雄ねじ部２４１と、爪部２４２〜２４４と、締結部２４５〜２４８と、を有する。爪部２４２〜２４４は、交換レンズ１００のバヨネット爪接触面１１２ａ〜１１４ａと当接する爪接触面２４２ａ〜２４４ａを有する。雄ねじ部２４１は、可動マウント部２４０の外周に配設され、雌ねじ部２２３と羅合する。第１の腕部２６０ａは、第１の当て面２６５と、第２の当て面２６６と、第１および第２の穴部２６４ａ、ｂとを有する。
【００２４】
第２の腕部２６０ｂは、第３の当て面２６７と、第４の当て面２６８と、第３および第４の穴部２６４ｃ、ｄとを有する。第１および第２の腕部２６０ａ、ｂは、固定部２１０と、固定マウント部２２０とに挟まれた領域に可動マウント部２４０に対して当接される。第１〜第４の穴部２６４ａ〜ｄを挿通したビスは、締結部２４５〜２４８に締結され、第１および第２の腕部２６０ａ、ｂを、可動マウント部２４０に固定する。
【００２５】
上記の構成を用いて、交換レンズ１００を撮像装置２００に固定する方法について説明する。図４は、本実施形態に係る交換レンズ１００を撮像装置２００に締結する際の、レンズマウントの要素の動作を順次示した正面図である。
【００２６】
図４（Ａ）は、交換レンズ１００のバヨネット爪部１１２〜１１４と、可動マウントの爪部２４２〜２４４とが光軸投影上重ならない、交換レンズ着脱可能位置を示す。図４（Ｂ）は、可動マウント部２４０を、固定マウント部２２０に対して、光軸を中心にして、撮像装置２００の正面から見て反時計回りに回動させることにより、バヨネット爪部１１２〜１１４と爪部２４２〜２４４とが、光軸投影上重なった状態を示す。図４（Ｃ）は、爪接触面２４２ａ〜２４４ａとバヨネット爪接触面１１２ａ〜１１４ａとが当接するまで、可動マウント部２４０を回動させて、交換レンズ１００が、撮像装置２００に対して締結された状態を示す。
【００２７】
図５および図６を参照して、図４の断面Ａ−Ａ、Ｂ−Ｂ、Ｃ−Ｃと、Ｄ、Ｅ、Ｆの詳細について説明する。なお、本実施形態において、交換レンズ１００のマウント面１１１からバヨネット爪接触面１１２ａまでの距離を距離１５０とする。また、固定マウント部２２０のマウント面２２１と可動マウント部２４０の爪接触面２４２ａの距離を、距離２５０とする。
【００２８】
図５（Ａ）は、交換レンズ１００のバヨネット爪部１１２〜１１４を、固定マウント部２２０の開口部２２２に挿通させ、交換レンズ１００のマウント面１１１と、撮像装置２００のマウント面２２１とを当接させた状態を示す図である。そして、図６（Ａ）は、その状態における詳細の正面図である。これは、交換レンズ１００を撮像装置２００に落とし込んだ状態を示す。また、この時点で、交換レンズ１００の電気通信接点部１０５と、撮像装置２００の本体の電気通信接点部３８０とは、接した状態である。
【００２９】
爪部２４２〜２４４は、雌ねじ部２２３と雄ねじ部２４１とが螺合しているため、回動と同時に光軸方向に沿って固定部２１０側に移動する。図５（Ａ）の状態から、可動マウント部２４０が固定部２１０に対して回動していくと、図５（Ｂ）に示すように、交換レンズ１００のバヨネット爪１１２〜１１４と、可動式マウント２４０の爪部２４２〜２４４が接近する。図６（Ｂ）は、その状態における詳細の正面図である。最終的には、図５（Ｃ）に示すように、距離１５０と距離２５０は等しくなる。図６（Ｃ）は、その状態における詳細の正面図である。この状態で、交換レンズ１００のバヨネット爪１１２のバヨネット爪接触面１１２ａと、可動部２４０の爪接触面２４２ａが接触し、マウントが固定される。
【００３０】
なお、本実施形態における雄ねじ部２４１と雌ねじ部２２３は、左ねじ、ねじ送り量２ｍｍ、ねじピッチ１ｍｍのねじである。雄ねじ部２４１と、雌ねじ部２２３とは、既存のバヨネット式レンズマウントの交換レンズ１００の取り付け回転方向が撮像装置２００に対して時計回りであれば左ねじとなり、反時計回りであれば右ねじとなる。また、ねじの送り量が大きいほど、少ない回動操作量で大きな光軸方向の移動距離が得られる。つまり、ねじの送り量を大きくするほど、回動操作量に対する距離２５０の移動量が大きくなる。例えば、距離１５０がマウント部１１０の個体差でばらついても、このばらつきを上回る距離を少ない回転動作量で移動可能になるため、交換レンズ１００を確実に締結することが可能となる。反対に、ねじの送り量が小さいほど、締め付け軸力が上がる。つまり、締結力を大きくする場合は、ねじの送り量を小さくしなければならないため、ねじの送り量は適切に選択する必要がる。
【００３１】
また、螺合するねじ山の数が多いほど、雄ねじ部２４１と、雌ねじ部２２３への応力集中が分散される。このため、狭いスペースで螺合するねじ山の数を多くして、かつ確実な締結と大きな締め付け軸力とを満たすねじの送り量を満たすためには、ねじピッチが小さく、ねじの送り量が大きい多条ねじが望ましい。本実施形態における雄ねじ部２４１と、雌ねじ部２２３との間には摺動グリスが塗布されている。これにより、ねじ部同士が擦れて回動時のざらつきを抑え、耐久性能と摺動感を向上させることが可能となる。
【００３２】
以下、本実施形態に係るレンズマウントの要部に機能部を追加した、レンズマウントの全体について説明する。図７（Ａ）は、本実施形態に係るレンズマウントの全体を示した、撮像装置正面側から見た分解斜視図である。図７（Ｂ）は、本実施形態に係るレンズマウントの要部を示した、撮像装置背面側から見た分解斜視図である。
【００３３】
レンズマウントは、マウント部１１０と、固定部２１０と、固定マウント部２２０と、可動マウント部２４０と、腕部２６０ａ、ｂと、撮像素子ユニット３１０と、リング部３２０と、第２の固定部３４０と、操作部１３とで構成される。さらに、交換レンズ１００の電気通信接点部１０５と、撮像装置２００の電気通信接点部３８０と、回転検出部３７０とで構成される。
【００３４】
撮像素子ユニット３１０は、撮像素子３１１と、撮像素子３１１が実装された基板３１２と、基板３１２を保持する板材３１３と、穴部３１４ａ〜ｃと、を有する。撮像素子３１１は、交換レンズ１００から入ってきた光を映像信号に変換する。基板３１２は、撮像素子３１１が実装される。板材３１３は、基板３１２を保持する。穴部３１４ａ〜ｃを挿通したビスは、締結部２１２ａ〜ｃに締結され、撮像素子ユニット３１０を、固定部２１０に固定する。締結時、板材３１３と、固定部２１０との間に、任意の厚みを持った不図示のワッシャを挟むことで、撮像素子３１１と、固定マウント部２２０のマウント面２２１と、の距離（フランジバック量）を調整する。
【００３５】
リング部３２０は、開口部３２１と、環状凸部３２２と、切り欠き環状凸部３２３と、穴３２６ａ〜ｄと、を有する。開口部３２１は、固定マウント部２２０の筒部２２５とすきまばめの寸法関係で摺動係合し、固定マウント部２２０に対して回動自在に配設される。すきまばめの寸法関係であることから、リング部３２０と、固定マウント部２２０と、の隙間は小さいため、ここから水滴やごみや光の侵入を防ぐ防滴・防塵・遮光機能を備えている。また、摺動係合の隙間に不図示の摺動グリスを塗布することで、摺動性を上げると共に、隙間がグリスで満たされるため、防滴・防塵機能の強化を図ることができる。
【００３６】
環状凸部３２２は、固定マウント部２２０の外周に配設される。切り欠き環状凸部３２３は、固定マウント部２２０の外周全域に設けた環状凹部２２６と対向した位置に配設される。穴３２６ａ〜ｄは、腕部２６０ａ、ｂに設けられタップの切られた締結部２６１ａ〜ｄと、ビスにより締結される。
【００３７】
次に、図８を参照して、操作部１３について説明する。操作部１３は、操作部１３を回動させるヒンジ機構８１と、ヒンジ機構８１を覆う第１のカバー部材８２と、第２のカバー部材８３と、第３のカバー部材８４とで構成される。第１のカバー部材８２は、穴部８２ａおよび８２ｂを有し、ヒンジ機構８１に対して位置決めされる。
【００３８】
第１のカバー部材８２の穴部８２ａおよび８２ｂは、それぞれ、ヒンジ機構８１のベース部８１１に存在する穴部８１１ａ及び８１１ｂに対応した位置に存在する。第２のカバー部材８３は、不図示のビス座を有する。また、撮像装置２００本体の係合部３４２に係合される係合部８３１を有する。
【００３９】
第３のカバー部材８４は、不図示のタップ穴を有する。また、撮像装置２００本体の係合部３４２に係合される係合部８４１を有する。係合部８３１および８４１は、同一の形状であり、操作部１３として一体化された際に１つの係合部として機能する。第２のカバー部材８３および第３のカバー部材８４は、ヒンジ機構８１の回動部８１４に対して位置決めされる。その後、回動部８１４に設けられた穴部８１４ａを挿通するように、ビス締めすることで、回動部８１４に対して固定される。
【００４０】
第１のカバー部材８２をヒンジ機構８１に位置決めした上で、穴部８２ａおよび８１１ａ、穴部８２ｂおよび８１１ｂにビスを挿通していき、腕部２６０ａ、ｂの締結部２６１ａ、ｂに締結することで、操作部１３が、腕部２６０ａ、ｂに固定される。ヒンジ機構８１は、回転機構であり、ＳＵＳ等の板金で構成されるベース部８１１と、部品を固定する軸部材８１２と、ベース部８１１に対して回転軸８５を回転中心として図示した方向に回動可能な回動部８１４と、で構成される。さらに、ヒンジ機構８１は、ベース部８１１と回動部８１４の間に回転方向に抵抗力を発生させる板ばね部８１３と、固定部材８１５と、で構成される。回動部８１４は、固定部材８１５によって、板ばね部８１３が所定の抵抗力を発生させるように板ばね部８１３を圧縮した状態で軸止され、カシメ等によって回転軸８５の方向が固定される。
【００４１】
板ばね部８１３によって発生する回転トルクは、可動マウント２４０の回動動作に必要な力に対して大きく、可動マウント２４０が締めつけられた後、所定の力以上で、回転軸８５を中心に回転させることにより操作部１３が係合部３４２に係合する。操作部１３の回転トルクが可動マウント２４０の回動動作に必要な力に対して大きいため、操作部１３に指を掛けて、力を回動マウント部２４０の回動方向に付与することで、可動マウント部２４０の回動操作が可能となる。
【００４２】
また、可動マウント２４０を固定したのち、板ばね部８１３の抵抗力を超える回転力を与えることで、回動軸８５に対して、第２のカバー部材８３および８４に覆われた回動部８１４を回転させることが可能となる。なお、本実施形態では、ヒンジ機構８１の各部は、ＳＵＳおよび鉄等の金属部材、第１のカバー部材８２、第２のカバー部材８３、第３のカバー部材８４は、例えば、ＰＣ等樹脂部材を採用している。しかしながら、これらに限定することなく、本実施形態の機能を満たせば、その他の材料を採用してもよい。
【００４３】
第２の固定部３４０は、環状凹部２２６と、第２のカバー部材８３、第３のカバー部８４の係合部８３１、８４１と係合される係合部３４２と、指置き部３４３と、挿通可能な穴部３４４ａ〜ｄと、を有する。係合部３４２は、本実施形態に係る撮像装置２００に対して交換レンズ１００を装着し、マウント部を操作してレンズを固定して、操作部１３を回転軸８５中心に回転させた際に、係合部８３１および８４１と互いに係合するような位置に存在する。
【００４４】
環状凹部２２６は、リング部３２０の環状凸部３２２と係合する。凹凸形状で係合することで、係合する面積が増え、かつ、係合する隙間の形状が屈曲するため、リング部３２０と、第２の固定部３４０との隙間から水滴やごみや光の侵入を防ぐ防滴・防塵・遮光機能を備えている。係合部３４２と、指置き部３４３とは、操作部１３の回動軌跡に干渉しない位置に配設する。
【００４５】
図９は、本実施形態に係る操作部１３の操作により、交換レンズ１００を撮像装置２００に対して着脱している様子を示す。図９（Ａ）は、取り付け時を示し、図９（Ｂ）は、取り外し時を示す。図９（Ａ）は、操作部１３に一方の指を掛け、係合部３４２には他方の指を置いて、撮像装置２００に対して交換レンズ１００を締結する状態を示す。
【００４６】
例えば、操作部１３のみを把持して回動操作を行い、交換レンズ１００を締結する場合、撮像装置２００にも回動操作の力が加わるため、撮像装置２００を抑えながら回動操作を行う必要がある。しかしながら、図９（Ａ）のように親指を係合部３４２の側面に当てて、操作部１３を人挿し指で押さえて締結を行う。これにより、第２の固定部３４０の係合部３４２には、回動操作時に操作部１３に作用する力と反する力が加わるため、撮像装置２００を抑えながら操作をする必要が無くなる。
【００４７】
また、握力を使って操作部１３の回動操作を行うため、操作部１３のみを把持して回動操作を行うよりも操作性が向上する。図９（Ｂ）は、操作部１３に指を掛け、第２の指置き部３４３には別の指を置いて、撮像装置２００に対して交換レンズ１００の締結を解除する状態を示す。締結解除時も、締結時と同様に、撮像装置２００を抑えながら操作をする必要が無くなる。穴部３４４ａ〜ｄは、固定マウント部２２０に配設されタップの切られた第１の締結部２２７ａ〜ｄとビスにより締結され、第２の固定部３４０を、固定マウント部２２０に固定する。
【００４８】
図１０は、本実施形態に係る交換レンズ１００を撮像装置２００に締結するときの、レンズマウントの全体の動作を順次示した正面図である。また、各状態における、固定マウントに対する可動マウントの回転角度をθで示す。図１０（Ａ）は、交換レンズ１００のバヨネット爪部１１２〜１１４と、可動マウント部２４０の爪部２４２〜２４４とが、光軸投影上重ならない、交換レンズ着脱可能位置を示す。この状態において、撮像装置２００に対して、交換レンズ１００の着脱が可能である。交換レンズ着脱可能位置における回転角度θａは０°とする。なお、この状態は図６（Ａ）の状態に相当する。
【００４９】
図１０（Ｂ）は、操作部１３を回動操作し、バヨネット爪接触面１１２ａ〜１１４ａと爪接触面２４２ａ〜２４４ａが、光軸投影上、重なり始める状態を示す（回転角度θｂ）。この状態では、お互いの爪形状が重なり合っているため、交換レンズ１００が、撮像装置２００から脱落することは無い。なお、この状態は図６（Ｂ）の状態に相当する。
【００５０】
図１０（Ｃ）は、操作部１３を回動操作し前記バヨネット爪接触面１１２ａ〜１１４ａと前記爪接触面２４２ａ〜２４４ａとが、最も回転角度の小さい状態で接触している状態を示す（回転角度θｃ）。部品のバラつきにより、距離１５０が最小、かつ任意の位置における前記固定マウント部２２０と前記可動マウント部２４０における距離２５０が最小となった場合に、両接触面が接触する回転角度である。つまり、接触面同士の係り量が最小の状態で締結される角度である。
【００５１】
図１０（Ｄ）は、操作部１３を回動操作し、バヨネット爪接触面１１２ａ〜１１４ａと前記爪接触面２４２ａ〜２４４ａとが、最も回転角度の大きい状態で接触している状態を示す（回転角度θｄ）。図１０（Ｃ）とは反対に、部品のばらつきによって、距離１５０が最大、かつ任意の位置における固定マウント部２２０と可動マウント部２４０における距離２５０が最大だった場合に、両接触面が接触する回転角度である。つまり、接触面同士の係り量が最大の状態で締結される角度である。
【００５２】
図１０（Ｅ）は、操作部１３を回動操作し、固定マウント部２２０の所定の当て面２３２と、腕部２６０ａの当て面２６６が接触している状態を示す（回転角度θｅ）。この状態は、図６（Ｃ）の状態からさらに回動した状態であり、交換レンズ１００のマウント部１１０、撮像装置２００の固定マウント部２２０、可動マウント部２４０は弾性変形することで締結力を発生させている。なお、交換レンズ１００の締結が確実に行えるようにするため、回転角度θｅは、回転角度θｄ以上である必要がある。以上説明したように、本実施形態によれば、従来から使用されているバヨネット式レンズマウントの交換レンズ１００を、レンズのガタつきを抑えて撮像装置２００に取り付けることが可能となる。
【００５３】
さらに、図１０（Ｅ）の状態で、操作部１３に対して反時計回りの回転力を与えると、操作部１３は、回動軸８５中心に係合部３４２に向かって回動する。これによって、第２の固定部３４０上に設けられた係合部３４２と、第２のカバー部材８３に設けられた係合部８３１および第３のカバー部材８４に設けられた係合部８４１とが互いに係合する。なお、係合形状は、互いに１つずつでも問題ないが、図１１に示すように複数とすることで、より確実に係合させることができる。
【００５４】
図１１のように、係合部３４２と、係合部８３１および係合部８４１とが互いに係合することで、マウントのロックを解除する方向に不意に力が加わった場合でも、係合部にて反力が発生し、マウントのロックが容易に解除されなくなる。以上により、本実施形態によれば、マウント固定の信頼性を高めることが可能になる。
【００５５】
一方、作業者がマウントのロックを解除する場合には、図１１に示す状態から操作部１３を、回転軸８５を中心に反時計回りに回転させた上で、操作部１３を光軸中心に時計回りに回転させればよい。
【００５６】
以上、本発明の好ましい実施形態について説明したが、本発明は、これらの実施形態に限定されず、その要旨の範囲内で種々の変形および変更が可能である。
【符号の説明】
【００５７】
１３    操作部
１００  交換レンズ
１１０  マウント部
１１２  バヨネット爪部
１１３  バヨネット爪部
１１４  バヨネット爪部
２００  撮像装置
２１０  固定部
２２０  固定マウント部
２２１  マウント面
２４０  可動マウント部
２４２  爪部
２４３  爪部
２４４  爪部
３４２  係合部
【図１】
2015114418.tif 000003
【図２】
2015114418.tif 000004
【図３】
2015114418.tif 000005
【図４】
2015114418.tif 000006
【図５】
2015114418.tif 000007
【図６】
2015114418.tif 000008
【図７】
2015114418.tif 000009
【図８】
2015114418.tif 000010
【図９】
2015114418.tif 000011
【図１０】
2015114418.tif 000012
【図１１】
2015114418.tif 000013
【図１２】
2015114418.tif 000014